(57)【特許請求の範囲】
【請求項１】
互いに接合する二つのプレキャストコンクリート梁の接合端面が対向し、一方の接合端面の上下から突出した１段主筋と、他方の接合端面の上下から突出した１段主筋とが接合されず、これら上下の１段主筋の内側で前記二つのプレキャストコンクリート梁の接合端面における接合間隔内において接合筋がそれぞれ配筋され、
前記接合間隔内に突出した１段主筋の端部と接合筋の両端部とがそれぞれ内側に折り曲げられるとともに下側の接合筋の折曲部を上側の接合筋の折曲部の内側に配置すること、
を特徴とするプレキャストコンクリート梁の接合構造。
【請求項２】
接合間隔内において接合筋の両端部が折り曲げられ下側の接合筋の折曲部を上側の接合筋の折曲部の内側に配置して、当該接合間隔を短くするようにフープ状に当該接合筋の折曲部同士が接合されたこと、
を特徴とする請求項１に記載のプレキャストコンクリート梁の接合構造。
【発明の詳細な説明】
【技術分野】
【０００１】
本願発明はプレキャストコンクリート梁の接合構造に関するものである。
【背景技術】
【０００２】
従来のプレキャストコンクリート梁の接合構造２２においては、二つのプレキャストコンクリート梁２３、２４同士の接合を梁の中央部で行う場合、図８に示すように、対向した接合端面２５から突出した１段主筋２６、２７同士を溶接または機械式継手２８で接合している。この場合、突出した１段主筋２６、２７同士が、プレキャストコンクリート梁２３、２４のプレキャストコンクリート柱への設置精度により微調整可能の範囲内においてずれたりするため、その位置合わせをする（先端部を合致させる）必要があった。また、その他のプレキャストコンクリート梁の接合構造としては、例えば特開平８−９３０５１号公報の発明が知られている。
【特許文献１】特開平８−９３０５１号
【発明の開示】
【発明が解決しようとする課題】
【０００３】
しかし、上記のプレキャストコンクリート梁の接合構造においては、対向した接合端面から突出した１段主筋同士を溶接または機械式継手で接合するために、対向した１段主筋同士の位置合わせが必要であった。
【０００４】
本願発明はこれらの問題に鑑みてなされたものであり、その目的は、対向した１段主筋同士の位置合わせをする必要のないプレキャストコンクリート梁の接合構造を提供することである。
【課題を解決するための手段】
【０００５】
以上の課題を解決するためのプレキャストコンクリート梁の接合構造は、互いに接合する二つのプレキャストコンクリート梁の接合端面が対向し、一方の接合端面の上下から突出した１段主筋と、他方の接合端面の上下から突出した１段主筋とが接合されず、これら上下の１段主筋の内側で前記二つのプレキャストコンクリート梁の接合端面における接合間隔内において接合筋がそれぞれ配筋され、
前記接合間隔内に突出した１段主筋の端部と接合筋の両端部とがそれぞれ内側に折り曲げられるとともに下側の接合筋の折曲部を上側の接合筋の折曲部の内側に配置することである。
また、前記接合間隔内において接合筋の両端部が折り曲げられ下側の接合筋の折曲部を上側の接合筋の折曲部の内側に配置して、当該接合間隔を短くするようにフープ状に当該接合筋の折曲部同士が接合されたことである。
【発明の効果】
【０００７】
二つのプレキャストコンクリート梁の対向した接合端面から突出した１段主筋同士の溶接または機械式継手による接合が不要になるとともに、前記１段主筋同士の位置合わせが不要となるため接合コストの低減と施工性の向上が図れる。
【発明を実施するための最良の形態】
【０００８】
以下、本願発明のプレキャストコンクリート梁（以下ＰＣ梁という）の接合構造の実施の形態を図面に基づいて説明する。このＰＣ梁の接合構造（以下接合構造という）１は、図１に示すように、現場においてプレキャストコンクリート柱（以下ＰＣ柱という）２にＰＣ梁３、４を設置し、これらのＰＣ梁３、４同士を接合したものと、図２に示すように、予めＰＣ柱２に一体形成されたＰＣ梁３、４同士を接合したものとがあり、いずれの場合でも適用することができる。
【０００９】
これらのＰＣ梁３、４を接合する場合、ＰＣ梁３、４のＰＣ柱２への設置精度やＰＣ柱２の建て方精度など（施工上の理由）により、対向した接合端面５から突出した１段主筋６、７同士がずれていると、これらを溶接または機械式継手で接合するには位置合わせが必要になる。しかし本願発明は、この位置合わせをせずに、接合端面５から突出した１段主筋６、７同士がずれたままの状態でＰＣ梁３、４同士を接合するものである。
【００１０】
この「１段主筋同士がずれている」とは、接合端面５から突出した部分同士（１段主筋の先端部同士のみ）が、ＰＣ梁３、４のＰＣ柱２への設置精度やＰＣ柱２の建て方精度などにより、微調整可能の範囲内において合致しないことをいい、設計ミスや配筋ミスなどで１段主筋６、７全体がずれているということではない。すなわち、上記のような理由により１段主筋６、７の先端部同士が対向した状態で合致していない位置合わせのための微調整が必要なことをいうものである。
【００１１】
図３は、第１の実施の形態の接合構造８である。この接合構造８は、二つのＰＣ梁３、４の対向した接合端面５から突出した上側の１段主筋６、７の内側と、下側の１段主筋６、７の内側とに接合筋９が配筋され、この配筋箇所に現場打ちコンクリート１０が打設されて構成されている。
【００１２】
これらの二つのＰＣ梁３、４の接合端面５から突出した上下の１段主筋６、７同士は、互いにずれているため直接接合されず、また直接接合するための位置合わせもされずに、このままの状態で、１段主筋６、７の内側に重ね継ぎ配筋された接合筋９によって接合されて、一方のＰＣ梁３の１段主筋６に生じる引張力を、他方のＰＣ梁４の１段主筋７に伝達する。この接合筋９は２段主筋１１の配筋位置において、１段主筋６、７と上下方向で重ね合うようにして、一方の１段主筋６から他方の１段主筋７にかけて配筋されている。このようにすると１段主筋６、７同士がずれていても、これらを接合せずに、または接合するための手間もかけずに、接合筋９を重ね継ぎ配筋するだけでＰＣ梁３、４同士を接合することができる。
【００１３】
また図４は、第２の実施の形態の接合構造１２である。この接合構造１２は、二つのＰＣ梁３、４の対向した接合端面５から突出した上下の１段主筋６、７の端部と、これら１段主筋６、７の内側に重ね継ぎ配筋された接合筋９の両端部とに定着金物１３が設けられたものであり、これ以外は第１の実施の形態の接合構造８と同じ構成である。この定着金物１３は現場打ちコンクリート１０との接合強度を大きくするため、二つのＰＣ梁３、４の接合間隔（対向する接合端面間の距離）１４を短くすることができる。
【００１４】
また図５は、第３の実施の形態の接合構造１５である。この接合構造１５は、上下の１段主筋６、７の先端部と、上下の接合筋９の両端部とを内側にそれぞれ折り曲げて、下側の接合筋の折曲部１６を上側の接合筋の折曲部１７の内側に配置したものであり、これ以外は第１の実施の形態の接合構造８と同じ構成である。このような折曲部１６、１７により現場打ちコンクリート１０との接合強度が大きくなるため、二つのＰＣ梁の接合間隔（対向する接合端面間の距離）１４を短くすることができる。
【００１５】
また図６は、第４の実施の形態の接合構造１８である。この接合構造１８は、上下の接合筋９の両端部を内側に折り曲げて接合してフープ状の接合筋１９を形成したものであり、これ以外は第３の実施の形態の接合構造１５と同じ構成である。このように１段主筋の折曲部２０と、フープ状の接合筋１９とにより現場打ちコンクリート１０との接合強度が大きくなるため、二つのＰＣ梁３、４の接合間隔（対向する接合端面間の距離）１４を短くすることができる。
【００１６】
また図７は、第５の実施の形態の接合構造２１である。この接合構造２１は、二つのＰＣ梁３、４の対向した接合端面５の上下から１段主筋６、７が突出されるとともに、一方のＰＣ梁３の接合端面５から２段主筋１１が突出し、これが他方のＰＣ梁４の接合端面５から突出した１段主筋７の内側に重ね継ぎ配筋されたものであり、これ以外は第１の実施の形態の接続構造８と同じ構成である。これは新たな接続筋を配筋するのではなく、一方のＰＣ梁３の接合端面５から突出した２段主筋１１が接続筋９に代わるものである。これも１段主筋６同士がずれているために直接接合されず、また直接接合するための位置合わせもされずに、このままの状態にして、重ね継ぎ配筋された２段主筋１１で接合される。
【００１７】
なお、本願発明は上記のように１段主筋６、７同士がずれている場合に限らず、１段主筋６、７同士がずれていない場合でも、もちろん適用できるものであり、この場合でも１段主筋６、７同士を接合せずに二つのＰＣ梁３、４を接合するものである。
【００１８】
また、上記実施例において柱はＰＣ柱２で説明したが、これはＰＣ柱２に限らず、現場打ち鉄筋コンクリート柱であっても良い。
【図面の簡単な説明】
【００１９】
【図１】現場においてＰＣ柱に設置したＰＣ梁の接合構造を示す正面図である。
【図２】予めＰＣ柱に設置されたＰＣ梁の接合構造を示す正面図である。
【図３】（１）は第１の実施の形態の接合構造の断面図、（２）は同平面図である。
【図４】（１）は第２の実施の形態の接合構造の断面図、（２）は同平面図である。
【図５】（１）は第３の実施の形態の接合構造の断面図、（２）は同平面図である。
【図６】（１）は第４の実施の形態の接合構造の断面図、（２）は同平面図である。
【図７】（１）は第５の実施の形態の接合構造の断面図、（２）は同平面図である。
【図８】従来の接合構造の断面図である。
【符号の説明】
【００２０】
１、８、１２、１５、１８、２１、２２  接合構造
２  ＰＣ柱
３、４、２３、２４  ＰＣ梁
５、２５  接合端面
６、７、２６、２７  １段主筋
９、１９  接合筋
１０  現場打ちコンクリート
１１  ２段主筋
１３  定着金物
１４  接合間隔
１６、１７、２０  折曲部
２８  機械式継手
【図１】
0004502270.tif 000002
【図２】
0004502270.tif 000003
【図３】
0004502270.tif 000004
【図４】
0004502270.tif 000005
【図５】
0004502270.tif 000006
【図６】
0004502270.tif 000007
【図７】
0004502270.tif 000008
【図８】
0004502270.tif 000009